(57)【要約】【課題】ＲＳＳデータを利便性よくユーザに提供する。【解決手段】ＲＳＳデータ提供端末３００は、ＲＳＳデータ配信サーバ１００へＲＳＳデータの配信要求をするＲＳＳデータ取得部３０１と、キーワードを記憶するキーワードテーブル３０７と、キーワードテーブル３０７から取得したキーワードを含むＲＳＳデータを収集テーブル３０８に記憶するフィルタリング部３０２とを有することで、ＲＳＳデータを利便性よくユーザに提供できるようになる。【選択図】図１
2014215627.tif 000002
【特許請求の範囲】
【請求項１】
ＲＳＳデータ配信サーバへＲＳＳデータの配信要求をするＲＳＳデータ取得部と、
キーワードを記憶するキーワードテーブルと、
前記キーワードテーブルから取得した前記キーワードを含む前記ＲＳＳデータを収集テーブルに記憶するフィルタリング部と、
を有する、ＲＳＳデータ提供端末。
【請求項２】
請求項１に記載のＲＳＳデータ提供端末において、
前記ＲＳＳデータ取得部は、ユーザＩＤとパスワードとを前記ＲＳＳデータ配信サーバへ送信し、前記ＲＳＳデータ配信サーバから正常に認証された後に、前記配信要求をする、ＲＳＳデータ提供端末。
【請求項３】
請求項１または２に記載のＲＳＳデータ提供端末において、
翻訳が必要な前記ＲＳＳデータを翻訳し、翻訳した前記ＲＳＳデータを前記収集テーブルに記憶する翻訳部を、さらに有する、ＲＳＳデータ提供端末。
【請求項４】
請求項１〜３のいずれか一項に記載のＲＳＳデータ提供端末において、
前記ＲＳＳデータを前記収集テーブルから取得し、取得した前記ＲＳＳデータに基づきＲＳＳ画面を表示するＲＳＳリーダを、さらに有する、ＲＳＳデータ提供端末。
【請求項５】
請求項１〜４のいずれか一項に記載のＲＳＳデータ提供端末において、
前記ＲＳＳデータを前記収集テーブルから取得し、取得した前記ＲＳＳデータを音声に変換し、変換した前記音声を出力する音声出力部を、さらに有する、ＲＳＳデータ提供端末。
【請求項６】
ＲＳＳデータ取得部により、ＲＳＳデータ配信サーバへＲＳＳデータの配信要求をする配信要求ステップと、
フィルタリング部により、キーワードを含む前記ＲＳＳデータを収集テーブルに記憶する記憶ステップと、
を有する、ＲＳＳデータ提供方法。
【請求項７】
請求項６に記載のＲＳＳデータ提供方法において、
前記配信要求ステップは、前記ＲＳＳデータ取得部により、ユーザＩＤとパスワードとを前記ＲＳＳデータ配信サーバへ送信し、前記ＲＳＳデータ配信サーバから正常に認証された後に、前記配信要求する、ＲＳＳデータ提供方法。
【請求項８】
請求項６または７に記載のＲＳＳデータ提供方法において、
翻訳部により、翻訳が必要な前記ＲＳＳデータを翻訳し、翻訳した前記ＲＳＳデータを前記収集テーブルに記憶する翻訳ステップを、さらに有する、ＲＳＳデータ提供方法。
【請求項９】
請求項６〜８のいずれか一項に記載のＲＳＳデータ提供方法において、
ＲＳＳリーダにより、前記ＲＳＳデータを前記収集テーブルから取得し、取得した前記ＲＳＳデータに基づきＲＳＳ画面を表示する表示ステップを、さらに有する、ＲＳＳデータ提供方法。
【請求項１０】
請求項６〜９のいずれか一項に記載のＲＳＳデータ提供方法において、
音声出力部により、前記ＲＳＳデータを前記収集テーブルから取得し、取得した前記ＲＳＳデータを音声に変換し、変換した前記音声を出力する音声出力ステップを、さらに有する、ＲＳＳデータ提供方法。
【請求項１１】
ＲＳＳデータ取得部により、ＲＳＳデータ配信サーバへＲＳＳデータの配信要求をする配信要求ステップと、
フィルタリング部により、キーワードを含む前記ＲＳＳデータを収集テーブルに記憶する記憶ステップと、
をＲＳＳデータ提供端末のコンピュータに実行させる、ＲＳＳデータ提供プログラム。
【請求項１２】
請求項１１に記載のＲＳＳデータ提供プログラムにおいて、
前記配信要求ステップは、前記ＲＳＳデータ取得部により、ユーザＩＤとパスワードとを前記ＲＳＳデータ配信サーバへ送信し、前記ＲＳＳデータ配信サーバから正常に認証された後に、前記配信要求する、ＲＳＳデータ提供プログラム。
【請求項１３】
請求項１１または１２に記載のＲＳＳデータ提供プログラムにおいて、
翻訳部により、翻訳が必要な前記ＲＳＳデータを翻訳し、翻訳した前記ＲＳＳデータを前記収集テーブルに記憶する翻訳ステップを、さらにＲＳＳデータ提供端末のコンピュータに実行させる、ＲＳＳデータ提供プログラム。
【請求項１４】
請求項１１〜１３のいずれか一項に記載のＲＳＳデータ提供プログラムにおいて、
ＲＳＳリーダにより、前記ＲＳＳデータを前記収集テーブルから取得し、取得した前記ＲＳＳデータに基づきＲＳＳ画面を表示する表示ステップを、さらにＲＳＳデータ提供端末のコンピュータに実行させる、ＲＳＳデータ提供プログラム。
【請求項１５】
請求項１１〜１４のいずれか一項に記載のＲＳＳデータ提供プログラムにおいて、
音声出力部により、前記ＲＳＳデータを前記収集テーブルから取得し、取得した前記ＲＳＳデータを音声に変換し、変換した前記音声を出力する音声出力ステップを、さらにＲＳＳデータ提供端末のコンピュータに実行させる、ＲＳＳデータ提供プログラム。
【発明の詳細な説明】
【技術分野】
【０００１】
本発明は、ＲＳＳデータ提供端末およびＲＳＳデータ提供方法ならびにＲＳＳデータ提供プログラムに関する。
【背景技術】
【０００２】
近年、ユーザの気に入ったＷｅｂページのＵＲＬ（Ｕｎｉｆｏｒｍ  Ｒｅｓｏｕｒｃｅ  Ｌｏｃａｔｏｒ）の登録を受け付けることで、気に入ったＷｅｂページの更新情報（更新された内容の要約と更新日時とからなる情報。以下、ＲＳＳデータという。）を定期的に収集するＲＳＳ（Ｒｉｃｈ  Ｓｉｔｅ  Ｓｕｍｍａｒｙ、または、ＲＤＦ  Ｓｉｔｅ  Ｓｕｍｍａｒｙ）リーダが進展してきている。
【０００３】
例えば、特開２００９−１４６１６３号公報（特許文献１）には、「ＲＳＳデータを取得し、その取得したＲＳＳデータに基づき情報提供サイトにアクセスし、情報提供サイトで提供される情報を取得する」と記載されている。
【先行技術文献】
【特許文献】
【０００４】
【特許文献１】特開２００９−１４６１６３号公報
【発明の概要】
【発明が解決しようとする課題】
【０００５】
従来のＲＳＳリーダが表示するＲＳＳ画面では、様々な種別のデータが一度に表示されることがある。そして、ユーザが「新商品」「食品」のキーワードを含む記事だけを読みたい場合には、取得したＲＳＳデータをフィルタリングするためのキーワードの入力をユーザから受け付ける手間が発生することがあった。
【０００６】
また、取得した記事の中には、内容を参照する際にログインしなければ閲覧できないものがある。その場合、ＲＳＳデータを取得しても、記事を閲覧する際に情報提供サイトとの間でネットワークの接続が確立していなければならなかった。
【０００７】
本発明の目的は、ＲＳＳデータを利便性よくユーザに提供することを可能にするＲＳＳデータ提供端末およびＲＳＳデータ提供方法ならびにＲＳＳデータ提供プログラムを提供することである。
【課題を解決するための手段】
【０００８】
本願において開示される発明のうち、代表的なものの概要を簡単に説明すれば、次の通りである。
【０００９】
本発明の一実施の形態は、ＲＳＳデータ提供端末であって、ＲＳＳデータ配信サーバへＲＳＳデータの配信要求をするＲＳＳデータ取得部を有する。さらに、キーワードを記憶するキーワードテーブルを有する。さらに、前記キーワードテーブルから取得した前記キーワードを含む前記ＲＳＳデータを収集テーブルに記憶するフィルタリング部を有する。
【００１０】
また、他の実施の形態では、ＲＳＳデータ提供方法であって、ＲＳＳデータ取得部により、ＲＳＳデータ配信サーバへＲＳＳデータの配信要求をする配信要求ステップを有する。さらに、フィルタリング部により、キーワードを含む前記ＲＳＳデータを収集テーブルに記憶する記憶ステップを有する。
【００１１】
また、他の実施の形態では、ＲＳＳデータ提供プログラムであって、ＲＳＳデータ取得部により、ＲＳＳデータ配信サーバへＲＳＳデータの配信要求をする配信要求ステップと、フィルタリング部により、キーワードを含む前記ＲＳＳデータを収集テーブルに記憶する記憶ステップと、をＲＳＳデータ提供端末のコンピュータに実行させる。
【発明の効果】
【００１２】
本願において開示される発明のうち、代表的なものによって得られる効果を簡単に説明すれば以下のとおりである。
【００１３】
本発明の一実施の形態によれば、ＲＳＳデータを利便性よくユーザに提供できるようになる。
【図面の簡単な説明】
【００１４】
【図１】本発明の一実施の形態における、ＲＳＳデータ提供システムの構成例の概要を示す図である。
【図２】本発明の一実施の形態における、ＵＲＬ登録テーブルの構成例の概要を示す図である。
【図３】本発明の一実施の形態における、キーワードテーブルの構成例の概要を示す図である。
【図４】本発明の一実施の形態における、収集テーブルの構成例の概要を示す図である。
【図５】従来のＲＳＳ画面の例を示す図である。
【図６】本発明の一実施の形態における、ＲＳＳ画面の例を示す図である。
【図７】本発明の一実施の形態における、ＲＳＳデータ記憶処理を示す図である。
【発明を実施するための形態】
【００１５】
以下、本発明の実施の形態を図面に基づいて詳細に説明する。なお、実施の形態を説明するための全図において、同一部には原則として同一の符号を付し、その繰り返しの説明は省略する。
【００１６】
本発明の一実施の形態であるＲＳＳデータ提供端末は、ユーザから入力を受け付けたキーワードを記憶し、予め記憶しておいたキーワードに基づきＲＳＳデータ配信サーバから取得するＲＳＳデータをフィルタリングする。そして、ＲＳＳリーダはフィルタリング後のＲＳＳデータに基づいてＲＳＳ画面を表示する。これによって、ＲＳＳデータを取得する度にユーザからＲＳＳデータをフィルタリングするためのキーワードの入力を受け付ける手間を省けるようになる。
【００１７】
また、取得した記事の中には、内容を参照する際にログインしなければ閲覧できないものがある。その場合、ＲＳＳデータ提供端末は、ＲＳＳデータ配信サーバとの間でネットワークの接続が確立している間に、ログイン処理をしてＲＳＳデータ配信サーバからＲＳＳデータを取得する。これによって、後にＲＳＳデータ配信サーバとの間のネットワークの接続が切断された場合であっても、予め取得しておいたＲＳＳデータに基づいてＲＳＳ画面を表示できるようになる。
【００１８】
また、取得した記事を、オンライン翻訳サービスを使って翻訳したい場合がある。その場合、ＲＳＳデータ提供端末は、翻訳機能を有する翻訳サーバとの間でネットワークの接続が確立している間に、翻訳が必要なＲＳＳデータを翻訳サーバにて翻訳させ、翻訳サーバから翻訳後のＲＳＳデータを取得する。これによって、後に翻訳サーバとの間のネットワークの接続が切断された場合であっても、翻訳後のＲＳＳデータに基づくＲＳＳ画面を表示できるようになる。
【００１９】
＜システム構成＞
図１は、本発明の一実施の形態におけるＲＳＳデータ提供システムの構成例の概要を示す。本発明の一実施の形態におけるＲＳＳデータ提供システムは例えば、ＲＳＳデータ配信サーバ１００と、翻訳サーバ１１０と、これらＲＳＳデータ配信サーバ１００および翻訳サーバ１１０とネットワーク２００を介して接続されるＲＳＳデータ提供端末３００とを有する。
【００２０】
また、ＲＳＳデータ提供端末３００には、所定のハードウェアおよびソフトウェアが実装される。例えば、ＲＳＳデータ提供端末３００は、プロセッサやメモリなどを有し、プロセッサによるメモリ上のプログラムの実行により、ＲＳＳデータ提供端末３００として、ＲＳＳデータ提供端末３００のコンピュータを機能させる。
【００２１】
ＲＳＳデータ提供端末３００は、ＲＳＳデータ取得部３０１と、フィルタリング部３０２と、ＲＳＳリーダ３０３と、翻訳部３０４と、音声出力部３０５と、ＵＲＬ登録テーブル３０６と、キーワードテーブル３０７と、収集テーブル３０８とを有する。
【００２２】
ＲＳＳデータ提供端末３００は、ユーザが関心のあるＷｅｂページのＵＲＬの登録を受け付ける。そして、登録を受け付けたＵＲＬをＵＲＬ登録テーブル３０６に記憶する。登録を受け付けたＵＲＬにアクセスするのにユーザの認証が必要な場合、ＲＳＳデータ提供端末３００は、ログイン処理に必要なユーザＩＤおよびパスワードの入力を受け付け、入力を受け付けたユーザＩＤおよびパスワードをＵＲＬ登録テーブル３０６に記憶する。また、ＲＳＳデータ提供端末３００は、登録を受け付けたＵＲＬから取得するＲＳＳデータの翻訳の要否の選択をＵＲＬごとに受け付け、翻訳の要否を示す情報をＵＲＬ登録テーブル３０６に記憶する。
【００２３】
ＲＳＳデータ配信サーバ１００は、ＲＳＳの仕様に従ったＲＳＳデータをサポートするＷｅｂページを備える。また、ＲＳＳデータ配信サーバ１００は、ＲＳＳデータ提供端末３００から配信要求があったＲＳＳデータをＲＳＳデータ提供端末３００に送信する。
【００２４】
ＲＳＳデータ提供端末３００のＲＳＳデータ取得部３０１は、ＲＳＳデータ配信サーバ１００に、ＲＳＳデータの配信の要求をする。ＲＳＳデータ取得部３０１は、ＲＳＳデータ配信サーバ１００から受信したＲＳＳデータをフィルタリング部３０２に送信する。フィルタリング部３０２は、キーワードテーブル３０７に記憶されたキーワードに基づき、受信したＲＳＳデータをフィルタリングする。フィルタリング部３０２は、フィルタリングした結果、抽出されたＲＳＳデータを収集テーブル３０８に記憶する。
【００２５】
また、ＲＳＳデータ取得部３０１は、翻訳が必要なＲＳＳデータを翻訳サーバ１１０へ送信する。翻訳サーバ１１０は、受信したＲＳＳデータを所定の言語へ翻訳し、ＲＳＳデータ提供端末３００へ送信する。フィルタリング部３０２は、受信した翻訳後のＲＳＳデータを収集テーブル３０８に記憶する。
【００２６】
ＲＳＳリーダ３０３は、Ｗｅｂブラウザ上で動作するＲＳＳデータを閲覧するためのプレーヤである。ＲＳＳデータはＸＭＬ（Ｅｘｔｅｎｓｉｂｌｅ  Ｍａｒｋｕｐ  Ｌａｎｇｕａｇｅ）によって記述される。ＲＳＳリーダ３０３は、このＲＳＳデータを収集テーブル３０８から取得し、取得したＲＳＳデータに基づきＲＳＳ画面を表示する。
【００２７】
音声出力部３０５は、収集テーブル３０８からＲＳＳデータを取得し、取得したＲＳＳデータを音声に変換する。そして、音声出力部３０５は、変換した音声を図示しない出力装置（たとえば、スピーカ）から出力する。
【００２８】
＜ＵＲＬ登録テーブル＞
図２は、本発明の一実施の形態におけるＵＲＬ登録テーブル３０６の構成例の概要を示す。ＵＲＬ登録テーブル３０６は、ＵＲＬ登録番号ごとにＵＲＬと、認証されることが必要なＷｅｂページのＵＲＬのユーザＩＤとパスワードと翻訳要否を対応付けたＵＲＬ登録情報を記憶する。ＵＲＬは、ユーザから登録を受け付けたＷｅｂページのＵＲＬを示す。ＲＳＳデータ配信サーバ１００は、ＲＳＳデータ提供端末３００から送信されたユーザＩＤとパスワードとに基づき、ユーザを認証する。翻訳要否は、対応するＵＲＬから取得するＲＳＳデータが、翻訳が必要か否か識別するための情報である。
【００２９】
＜キーワードテーブル＞
図３は、本発明の一実施の形態におけるキーワードテーブル３０７の構成例の概要を示す。キーワードテーブル３０７は、キーワード番号ごとにキーワードを記憶する。このキーワードは、図示しない入力部がユーザから入力を受け付け、この入力を受け付けたキーワードが、キーワードテーブル３０７に記憶される。
【００３０】
＜収集テーブル＞
図４は、本発明の一実施の形態における収集テーブル３０８の構成例の概要を示す。収集テーブル３０８は、ＲＳＳデータ番号ごとにＷｅｂページが更新された日時と、Ｗｅｂページが更新された内容の要約とを対応付けて記憶する。
【００３１】
＜応答画面例＞
図６は、本発明の一実施の形態におけるＲＳＳ画面の例を示す。また、図６の比較例として、従来のＲＳＳ画面の例を図５に示す。図６において、ＲＳＳリーダ３０３はＲＳＳ画面に、複数の表示項目５０１を更新日時が最近のものから順に上から表示する。また、ＲＳＳリーダ３０３は、ＲＳＳ画面に音声出力ボタン５０２を表示する。なお、ＲＳＳリーダ３０３はＲＳＳ画面に、複数の表示項目５０１を更新日時が最近のものから順に下から表示するようにしてもよい。
【００３２】
図６のＲＳＳ画面は、図３のキーワードテーブル３０７から取得したキーワード「食品」「新商品」に基づきフィルタリングされた後のＲＳＳデータに基づき表示される。よって、各表示項目５０１に表示されるＷｅｂページが更新された内容の要約は、いずれもキーワード「食品」または「新商品」を含むものとなっている。図５のＲＳＳ画面と比較すると、図６のＲＳＳ画面は、ユーザが閲覧を所望する表示項目５０１だけが表示されるようになり、ユーザにとって必要な情報を探しやすくなっている。
【００３３】
音声出力ボタン５０２が操作を受け付けると、音声出力部３０５は、収集テーブル３０８からＲＳＳデータを取得し、取得したＲＳＳデータを音声に変換する。そして、音声出力部３０５は、変換した音声を図示しない出力装置から出力する。
【００３４】
＜ＲＳＳデータ記憶処理＞
図７は、本発明の一実施の形態におけるＲＳＳデータ記憶処理を示す。
【００３５】
まず、Ｓ７０１にて、ＲＳＳデータ取得部３０１は、ＵＲＬ登録テーブル３０６からＵＲＬ登録情報を取得する。
【００３６】
次に、Ｓ７０２にて、ＲＳＳデータ取得部３０１は、Ｓ７０１にて取得したＵＲＬ登録情報から特定されるＲＳＳデータ配信サーバ１００へＲＳＳデータの配信要求をする。そして、ＲＳＳデータ取得部３０１は、配信要求をしたＲＳＳデータ配信サーバ１００からＲＳＳデータを受信する。
【００３７】
次に、Ｓ７０３にて、ＲＳＳデータ取得部３０１は、Ｓ７０２にて受信したＲＳＳデータと、このＲＳＳデータに対応する翻訳要否とをフィルタリング部３０２に送信する。
【００３８】
次に、Ｓ７０４にて、フィルタリング部３０２は、キーワードテーブル３０７から取得したキーワードに基づき、ＲＳＳデータをフィルタリングする。このフィルタリングは、キーワードテーブル３０７から取得したいずれかのキーワードを含まないＲＳＳデータを除外することで行われる。
【００３９】
次に、Ｓ７０５にて、フィルタリング部３０２は、Ｓ７０４にてフィルタリングされた後のＲＳＳデータに翻訳要否が「要」であるＲＳＳデータが存在するか判定する。Ｓ７０５にて、フィルタリング部３０２が、翻訳要否が「要」であるＲＳＳデータが存在すると判定する場合、Ｓ７０７へ進む。一方、フィルタリング部３０２が、翻訳要否が「要」であるＲＳＳデータが存在しないと判定する場合（Ｓ７０５−Ｎｏ）、Ｓ７０６へ進む。
【００４０】
Ｓ７０６にて、フィルタリング部３０２は、Ｓ７０４にてフィルタリングされた後のＲＳＳデータを収集テーブル３０８に記憶し、ＲＳＳデータ記憶処理を終了する。より詳細には、Ｓ７０４にて、いずれかキーワードを含んでいないと判定されたＲＳＳデータは、収集テーブル３０８へ記憶する対象からは除外され、いずれかのキーワードを含むと判定されたＲＳＳデータだけが収集テーブル３０８に記憶される。
【００４１】
Ｓ７０７にて、フィルタリング部３０２は、翻訳要否が「要」であるＲＳＳデータを翻訳部３０４に送信する。
【００４２】
次に、Ｓ７０８にて、翻訳部３０４は、受信したＲＳＳデータを翻訳し、翻訳したＲＳＳデータを収集テーブル３０８に記憶し、ＲＳＳデータ記憶処理を終了する。
【００４３】
上述したＲＳＳデータ記憶処理がされた後に、ＲＳＳリーダ３０３は、ＲＳＳデータを収集テーブル３０８から取得し、取得したＲＳＳデータに基づきＲＳＳ画面を表示する（表示ステップに相当する）。さらに、ＲＳＳ画面に表示された音声出力ボタン５０２が操作を受け付けると、音声出力部３０５は、収集テーブル３０８からＲＳＳデータを取得し、取得したＲＳＳデータを音声に変換する。そして、音声出力部３０５は、変換した音声を図示しない出力装置から出力する（音声出力ステップに相当する）。
【００４４】
なお、Ｓ７０２にて、配信要求するＵＲＬにアクセスするのにユーザの認証が必要な場合、ＲＳＳデータ提供端末３００は、ログイン処理に必要なユーザＩＤおよびパスワードの入力をＲＳＳデータ配信サーバ１００へ送信し、その後、ＲＳＳデータ配信サーバ１００から正常に認証された後、ＲＳＳデータ配信サーバ１００へＲＳＳデータの配信要求をするようにしてもよい。
【００４５】
さらに、Ｓ７０７にて、フィルタリング部３０２は、ネットワーク２００を介して翻訳サーバ１１０に翻訳が必要なＲＳＳデータを送信し、その後、翻訳サーバ１１０から翻訳後のＲＳＳデータを受信し、受信した翻訳後のＲＳＳデータを収集テーブル３０８に記憶するようにしてもよい。
【００４６】
さらに、Ｓ７０８にて、翻訳部３０４は、受信したＲＳＳデータを日本語に翻訳するようにしてもよい。また、翻訳部３０４が翻訳する翻訳後の言語は、図示しない設定部から適宜設定できるようにしてもよい。
【００４７】
また、ＲＳＳデータ記憶処理は、所定時間が経過するごとに行われるようにしてもよい。
【００４８】
ここで、Ｓ７０２は、配信要求ステップに相当する。また、Ｓ７０６は、記憶ステップに相当する。また、Ｓ７０８は、翻訳ステップに相当する。
【００４９】
＜本実施の形態の効果＞
以上説明した本実施の形態によれば、キーワードテーブル３０７から取得したキーワードを含むＲＳＳデータだけを収集テーブル３０８に記憶することで、ユーザが閲覧を所望する表示項目５０１だけがＲＳＳ画面に表示されるようになり、ユーザにとって必要な情報を探しやすくなる。さらに、記憶するデータ量を圧縮できるようになる。
【００５０】
さらに、ユーザＩＤとパスワードとをＲＳＳデータ配信サーバ１００へ送信し、ＲＳＳデータ配信サーバ１００から認証されたデータを取得しておくことで、後にネットワーク２００の接続が切断された場合であっても、予め取得したＲＳＳデータに基づくＲＳＳ画面を表示できるようになる。
【００５１】
さらに、翻訳が必要なＲＳＳデータを予め翻訳しておくことで、後にネットワーク２００の接続が切断された場合であっても、翻訳後のＲＳＳデータに基づくＲＳＳ画面を表示できるようになる。
【００５２】
さらに、ＲＳＳデータを音声に変換することで、例えば、満員の電車に乗車中であり、ＲＳＳ画面を確認できない状況であっても、ＲＳＳデータの内容を音声で確認できるようになる。
【００５３】
以上、本発明によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００５４】
本発明は、ＲＳＳデータを利便性よくユーザに提供できるようになるという優れた効果を有し、ＲＳＳデータ提供端末、ＲＳＳデータ提供方法およびＲＳＳデータ提供プログラムにも適用することができる。
【符号の説明】
【００５５】
１００  ＲＳＳデータ配信サーバ
１１０  翻訳サーバ
２００  ネットワーク
３００  ＲＳＳデータ提供端末
３０１  ＲＳＳデータ取得部
３０２  フィルタリング部
３０３  ＲＳＳリーダ
３０４  翻訳部
３０５  音声出力部
３０６  ＵＲＬ登録テーブル
３０７  キーワードテーブル
３０８  収集テーブル
５０１  表示項目
５０２  音声出力ボタン
【図１】
2014215627.tif 000003
【図２】
2014215627.tif 000004
【図３】
2014215627.tif 000005
【図４】
2014215627.tif 000006
【図５】
2014215627.tif 000007
【図６】
2014215627.tif 000008
【図７】
2014215627.tif 000009